Podtech/llm-jp-corpus-v4-ja_patent huggingface dataset:
(57)【要約】
　　【課題】　永年使用しても負荷トルクによる反作用力を解消することが可能な回転トルク伝達機構を提供することを目的とする。
　　【解決手段】　上記課題を解決可能な本考案は、トルク発生源としての駆動用モータから回転トルクを伝達された第一の歯車と噛み合って回転トルクを受ける第二の歯車と、該歯車と噛み合って回転トルクを受ける第三の歯車と、第三の歯車に回転トルクを伝達するトルク発生源としての駆動用モータと、歯車から回転トルクを受ける出力軸とから構成される。
　　【選択図】　図１
0003099217.tif 000002
【実用新案登録請求の範囲】
【請求項１】
　トルク発生源としての駆動用モータ２から回転トルクを伝達された第一の歯車３と噛み合って回転トルクを受ける第二の歯車４と、該歯車４と噛み合って回転トルクを受ける第三の歯車５と、第三の歯車に回転トルクを伝達するトルク発生源としての駆動用モータ１と、歯車５から回転トルクを受ける出力軸６とから構成される回転トルク伝達機構。
【考案の詳細な説明】
【技術分野】
【０００１】
　本考案は回転トルク伝達機構に関し、より詳しくは負荷トルクによる反作用力を解消することが可能な回転トルク伝達機構に関する。
【背景技術】
【０００２】
　従来技術としては回転トルク伝達機構における負荷トルクによる反作用力を解消することを目的とした特開平５−６９９８２号公報記載の発明がある。
【０００３】
　上記公報記載の発明はトルク発生源からの回転トルクを受ける歯車群の軸である駆動軸と、この駆動軸から分離されたローラ軸とを自在継手で自在に結合するように構成し、ローラ軸における負荷トルクによる反作用力を無くすようにしたものである。
【特許文献１】特開平５−６９９８２号公報
【考案の開示】
【考案が解決しようとする課題】
【０００４】
　回転トルク伝達機構においては、その出力軸に連結された作用体に仕事をさせる場合、伝達機構に負荷トルクがかかり反作用力が発生する。この反作用力により歯車の回転軸や出力軸等が永年使用するうちに劣化し、トルク伝達機能が脆弱化し、出力効果が弱まってしまう。
【０００５】
　係る難点を解消するために上述の特許文献１記載の発明のように自在継手を使用することで負荷トルクによる反作用力を無くす方法もある。ここに自在継手としてはスプリングや成形樹脂チューブを使用している。
【０００６】
　ところが自在継手自体が劣化脆弱化しやすいものであり、永年使用のうちに負荷トルクによる反作用力を解消する役目を果たさなくなってしまう。
【０００７】
　そこで本発明は永年使用しても負荷トルクによる反作用力を解消することが可能な回転トルク伝達機構を提供することを目的とする。
【課題を解決するための手段】
【０００８】
　上記課題を解決可能な本考案は、トルク発生源としての駆動用モータから回転トルクを伝達された第一の歯車と噛み合って回転トルクを受ける第二の歯車と、該歯車と噛み合って回転トルクを受ける第三の歯車と、第三の歯車に回転トルクを伝達するトルク発生源としての駆動用モータと、歯車から回転トルクを受ける出力軸とから構成される。以下かように構成される本考案がいかに作用して課題を解決するかを図面を参照しながら述べる。
【０００９】
　図１は本考案にかかる回転トルク伝達機構の構成を示す図である。トルク発生源であるモータ２が図中における矢印方向に回転すると、無端状ベルト体７ａによって回転トルクは歯車３に伝達され該歯車３は矢印方向（左回り）に回転する。更に該歯車３と噛み合わさった歯車４は矢印方向（右回り）に回転し、該歯車４と噛み合わさった歯車５は矢印方向（左回り）に回転する。
【００１０】
　この際歯車４と歯車５の噛み合わさった部分においてＰ１方向に作用力が、Ｐ２方向に反作用力が働く。この作用力、反作用力は平行に移動し歯車５の回転軸に作用力Ｐ１’、反作用力Ｐ２’として働く。
【００１１】
　歯車５に伝達された回転トルクは、無端状ベルト体７ｂを通じ出力軸６に伝達される。そしてこの回転トルクは出力軸６に連結された作用体９に仕事をさせる事になる。この際作用体９にはＰ３方向に作用力が、Ｐ４方向に反作用力が働く。この反作用力Ｐ４は同時に負荷トルクとしてＰ５方向の反作用力として働く。　この負荷トルクであるＰ５方向の反作用力を解消するために本考案ではトルク発生源としてのモータ１を利用するのである。すなわちモータ１を図中の矢印方向（左回り）に回転させると、無端状ベルト体７ｃにより回転トルクは歯車５に伝達される。そしてこの歯車５に伝達された回転トルクは図中Ｐ６方向の作用力として働く。このＰ６方向の作用力によりＰ５方向の反作用力を相殺解消するのである。
【００１２】
　かように本発明では従来例のようなスプリングや樹脂チューブに比べ劣化しにくいモータを使い負荷トルクによる反作用力を解消している。つまり永年使用しても負荷トルクによる反作用力を解消することが可能な回転トルク伝達機構を提供することが可能となるのである。
【考案の効果】
【００１３】
本考案は以上のように構成されていることから、永年使用しても負荷トルクによる反作用力を解消することが可能な回転トルク伝達機構を提供することが可能となる。
【考案を実施するための最良の形態】
【００１４】
　以下好ましい考案の一実施形態につき述べる。
【００１５】
　図１における１及び２は駆動用モータである。歯車３、４及び５は平歯車や傘歯車等を使用する。
【００１６】
　駆動用モータ２に設けられた出力プーリ２ａと、歯車３と同軸に設けられたプーリ８ａとは無端状ベルト体７ａにより連結されている。駆動用モータ１に設けられたプーリ１ａと、歯車５と同軸に設けられたプーリ８ｂとは無端状ベルト体７ｃにより連結されている。
【００１７】
　プーリ８ｂと、出力軸６と同軸に設けられたプーリ８ｃとは無端状ベルト体７ｂにより連結されている。
【００１８】
　作用体９と、出力軸６と同軸に設けられたプーリ８ｄとは無端状ベルト体７ｄを用いて連結されている。
【００１９】
　ここに無端状ベルト体７ａ、７ｂ、７ｃ及び７ｄはチェーンやゴム製ベルト等を使用している。無論これら無端状ベルト体によらず歯車の噛み合わせによってもトルクの伝達は可能なものである。
【図面の簡単な説明】
【００２０】
【図１】本考案にかかる回転トルク伝達機構の構成を示す図。
【符号の説明】
【００２１】
１、２・・駆動用モータ　　　３、４、５・・歯車
６・・出力軸
【図１】
0003099217.tif 000003
(57)【要約】
【課題】　端子の腐食を防止することにより、長期間メンテナンスを行わなくてもよい車両用ヒューズを提供することを目的とする。
　また、車両用ヒューズとしての抵抗値が小さく、車両のパワーアップやトルク向上に寄与できる。
【解決手段】　ハウジング１と、一端側２ａがハウジング１の内部に保持され他端側２ｂが外方突出状に配設された一対の端子２，２と、を有する。この一対の端子２，２は、全体に亘り、１μｍ〜５μｍの厚さをもって、金メッキ層３で被覆される。さらに、ハウジング１の内部で一対の端子２，２を連結する溶断部４が、１μｍ〜５μｍの厚さをもって、金メッキ層３で被覆される。
【選択図】　図１
0003099221.tif 000002
【実用新案登録請求の範囲】
【請求項１】
　ハウジング（１）と、一端側（２ａ）が該ハウジング（１）の内部に保持され他端側（２ｂ）が外方突出状に配設された一対の端子（２)(２）と、を有する車両用ヒューズに於て、
　上記一対の端子（２)(２）は、全体に亘り、１μｍ〜５μｍの厚さをもって、金メッキ層（３）で被覆されたことを特徴とする車両用ヒューズ。
【請求項２】
　ハウジング（１）と、一端側（２ａ）が該ハウジング（１）の内部に保持され他端側（２ｂ）が外方突出状に配設された一対の端子（２)(２）と、を有する車両用ヒューズに於て、
　上記一対の端子（２)(２）は、全体に亘り、１μｍ〜５μｍの厚さをもって、金メッキ層（３）で被覆され、
　かつ、上記ハウジング（１）の内部で上記一対の端子（２)(２）を連結する溶断部（４）が、１μｍ〜５μｍの厚さをもって、金メッキ層（３）で被覆されたことを特徴とする車両用ヒューズ。
【考案の詳細な説明】
【技術分野】
【０００１】
　本考案は、車両用のヒューズに関するものである。
【背景技術】
【０００２】
　従来のヒューズは、ハウジングと、ハウジングから露出した一対の端子と、を備え、両端子間に接続された溶断部をハウジング内部に配設しており、回路の短絡時においては、溶断部が溶断することによって、入力端子と出力端子の導通が遮断されることで、各種電気機器に過電流が流れる事を防止するものがある。
【考案の開示】
【考案が解決しようとする課題】
【０００３】
　この従来のヒューズの端子は、スズ等の導電材メッキ層で、被覆されているが、腐食防止の効果が低いため、長期間使用すると、端子が腐食し、抵抗値が増大して電圧降下が起きてしまう。
【０００４】
　そこで、本考案は、端子の腐食を防止することにより、長期間メンテナンスを行わなくてもよい車両用ヒューズを提供することを目的とする。
　また、車両用ヒューズとしての抵抗値が小さく、車両のパワーアップやトルク向上にも寄与できるヒューズを提供することを目的とする。
【課題を解決するための手段】
【０００５】
　上記の目的を達成するために、本考案に係る車両用ヒューズは、ハウジングと、一端側が該ハウジングの内部に保持され他端側が外方突出状に配設された一対の端子と、を有する車両用ヒューズに於て；上記一対の端子は、全体に亘り、１μｍ〜５μｍの厚さをもって、金メッキ層で被覆されている。
【０００６】
　また、ハウジングと、一端側が該ハウジングの内部に保持され他端側が外方突出状に配設された一対の端子と、を有する車両用ヒューズに於て；上記一対の端子は、全体に亘り、１μｍ〜５μｍの厚さをもって、金メッキ層で被覆され；かつ、上記ハウジングの内部で上記一対の端子を連結する溶断部が、１μｍ〜５μｍの厚さをもって、金メッキ層で被覆されている。
【考案の効果】
【０００７】
　本考案は、次のような著大な効果を奏する。
【０００８】
　端子に金メッキを施すことにより、長期間使用しても腐食の進行が遅いので、電力ロスが少なく、例えば、自動車のセルモータを確実に始動させることができる。
【考案を実施するための最良の形態】
【０００９】
　図１に示したように、車両用ヒューズ５は、ハウジング１と、一端側２ａがハウジング１の内部に保持され他端側２ｂが外方突出状に配設された一対の端子２，２と、を有し、一対の端子２，２は、ハウジング１の内部で、溶断部４により連結されている。
【００１０】
　そして、一対の端子２，２は、全体に亘り、金メッキ層３で被覆され、さらに、溶断部４も同様に金メッキ層３で被覆されている。金メッキ層３は、１μｍ〜５μｍの厚さをもって被覆されるが、約２μｍの厚さに被覆されるのが好ましい。
　金メッキ層３が、１μｍよりも薄いと、腐食防止の効果が減少してしまい、５μｍよりも厚いと、高価な材料を無駄に使うことになる。
　また、図示省略するが、車両用ヒューズ５の端子２，２が挿入される受け端子には、腐食（電蝕）防止材を塗布する等の処理を行い、端子同士の接触面の腐食・電蝕を進行させないようにする。
【００１１】
　以上のように、端子２，２及び溶断部４に金メッキ層３を施すことにより、長期間使用しても、腐食の進行が遅く、メンテナンスの頻度を最小限に抑えることができる。
　また、長期間の使用に対し、溶断部４は腐食の進行が遅いので、正常に溶断する状態に長期間保たれる。
　また、車両用ヒューズとしての抵抗値が小さく、車両のパワーアップやトルク向上にも寄与できる。
【図面の簡単な説明】
【００１２】
【図１】本考案に係る車両用ヒューズの実施の一形態を示す平面図である。
【図２】図１のＡ−Ａ拡大断面図である。
【符号の説明】
【００１３】
　１　　ハウジング
　２　　端子
　２ａ　一端側
　２ｂ　他端側
　３　　金メッキ層
　４　　溶断部
【図１】
0003099221.tif 000003
【図２】
0003099221.tif 000004
(57)【要約】　　　（修正有）【課題】石鹸を使用中に、石鹸表面に発生するぬめりを、軽減する事。【解決手段】石鹸入れ本体の、上の面に網を張り、使用後の石鹸４を、網の上に置く事により、石鹸に着いた水吐けが、良くなるので、使用後の石鹸に、発生するぬめりが、軽減される。【選択図】　　図６
0003099284.tif 000002
【実用新案登録請求の範囲】
【請求項１】
石鹸入れ本体の上の面に、使用後の石鹸を、置くための網を張り付けた、構造の石鹸入れ。
【考案の詳細な説明】
【技術分野】
【０００１】本考案は、石鹸入れに係るものであり、従来の石鹸入れにおいて、石鹸を使用後石鹸入れに石鹸を保管中、石鹸の表面に、発生するぬめりを、軽減するものである。
【背景技術】
【０００２】従来の石鹸入れにおいても、石鹸を使用した後、石鹸を保管中、石鹸に発生するぬめりを、軽減するために、工夫がなされて米ました。特許文献参照特許出願２００１−３６１７４８　石鹸を、楕円状の紐で包み、吊す。特許出願２００１−２７４２７２　石鹸入れの中に、Ｕ字形に網を張り、石鹸を網の中に、収納する。特許出願平６−１４８４６３　網状シートの中に入れて、吊す。特許出願平−７２２７３６７　石鹸入れの底の形を変えて、底と石鹸の間に、隙間を作る。
【考案の開示】
【考案が解決しようとする課題】
【０００３】従来の石鹸入れにおいても、石鹸を使用した後、石鹸を保管中、石鹸に発生するぬめりを、軽減する為に、石鹸と接する面の形を工夫する、努力がされて来ましたが、構造が複雑になる事、又使い勝手が悪いなどの、課題があります。
【課題を解決するための手段】
【０００４】本考案は、石鹸入れ本体の、上の面に網を張り、網の上に石鹸を置く事により、問題点を解決している。
【考案の効果】
【０００５】上述の様に、本考案の石鹸入れ本体の、上の面に網を張った石鹸入れは、網の上に石鹸を置く事により、石鹸使用した後、保管中の石鹸表面の水吐け良くなるので石鹸を使用した後の、石鹸表面に発生するぬめりが、軽減出来ます。又使い勝手が、良くなりました。又ぬめりが、軽減されるので、石鹸が長持ちします。
【考案を実施するための最良の形態】
【０００６】石鹸入れ本体の、上の面に網を張り、網の上に、使用した後の石鹸を置く。
【実施例】
【０００７】以下、添付図面に従って実施例を説明する。１は石鹸入れ本体、２は石鹸入れ本体に張った網、３は網を石鹸入れ本体に固定する紐。網の網目、形状、大きさは図示のものに限定されず、適宜変更することができる。
【図面の簡単な説明】
【０００８】
【図１】石鹸入れ本体の、正面図である。
【図２】石鹸入れ本体の、上の面に網を張った、本考案の、石鹸入れの正面図である。
【図３】本考案の、石鹸入れの、平面図である。
【図４】本考案の、石鹸入れの、底面図である。
【図５】本考案の、石鹸入れの、右側面図である。
【図６】本考案の、石鹸入れの、斜視図である。石鹸を網の上に置いた、使用状態を示す。
【符号の説明】
【０００９】　１　石鹸入れ本体　２　網　３　紐　４　石鹸
【図１】
0003099284.tif 000003
【図２】
0003099284.tif 000004
【図３】
0003099284.tif 000005
【図４】
0003099284.tif 000006
【図５】
0003099284.tif 000007
【図６】
0003099284.tif 000008
(57)【要約】【課題】情報製品が使用される際にチャーミングな香気を生成でき、それによって例えば芳香医療法のような効果を生成できる、情報製品の香気生成装置を提供する。【解決手段】情報製品の内部に配置される発熱素子と、前記発熱素子と相互に重ね合う放熱手段と、上部に収納皿が配置されつつ、両側に対応しあうように形成される挟持アームが配置され、それらの挟持アームによって前記放熱手段の両側を挟持するように設定される放熱ファンと、前記収納皿に収納される芳香ピースとを少なくとも有する。【選択図】　　　図２
0003099291.tif 000002
【実用新案登録請求の範囲】
【請求項１】
情報製品の内部に配置される発熱素子と、
前記発熱素子と相互に重ね合う放熱手段と、
上部に収納皿が配置されつつ、両側に対応しあうように形成される挟持アームが配置され、それらの挟持アームによって前記放熱手段の両側を挟持するように設定される放熱ファンと、
前記収納皿に収納される芳香ピースとを有し、
情報製品の内部の放熱ファンの回転作動によってチャーミングな香気を生成することを特徴とする情報製品の香気生成装置。
【請求項２】
前記情報製品は、コンピュータ、パーソナル・デジタル・アシスタント、又は家庭用電気製品であることを特徴とする請求項１に記載の情報製品の香気生成装置。
【請求項３】
前記芳香ピースはスポンジであることを特徴とする請求項１に記載の情報製品の香気生成装置。
【請求項４】
前記芳香ピースは交換可能な製品であることを特徴とする請求項１に記載の情報製品の香気生成装置。
【考案の詳細な説明】
【０００１】
【考案の属する技術分野】
本考案は、情報製品の香気生成装置に係わり、特に情報製品が使用される際にチャーミングな芳香を放出可能な情報製品の香気生成装置に関するものである。
【０００２】
【従来の技術】
一般のコンピュータなどの情報製品の内部の状況は、図１に示すように、大体マザー・ボード１０と、中央処理装置１１と、放熱手段１２と、放熱ファン１３とを積み重ねて形成されるものである。
【０００３】
しかしながら、科学技術の日進月歩にしたがって、情報製品の作業速度がますます快速的になりつつ、情報製品の内部における作業温度もますます高くなり、そのため、前記のそれぞれの素子が電源の駆動後に容易に構成素子の高熱に影響されて焦げるぐらいのような、人間の臭覚に対し、臭気であると認められるぐらいの気味を生じるようになり、且つ少数の人間がそれらの臭味の影響により調子が悪くなる場合（例えばアレルギー症を引き起こすなど）さえある。
【０００４】
そのため、前記の説明から分かるように、前記の従来のコンピュータなどの情報製品について、それらが実際に取り付けられ、且つ使用される場合に、明らかに前記のような不都合があるので、至急に改良される必要がある。
【０００５】
【考案が解決しようとする課題】
そのため、前記の従来物のそれぞれの課題を解消するために、本考案は、情報製品が使用される際にチャーミングな香気を生成でき、それによって例えば芳香医療法のような効果を生成できる、情報製品の香気生成装置を提供することをその主要な目的とする。
【０００６】
【課題を解決するための手段】
前記の目的を図るために、本考案による“情報製品の香気生成装置”は、収納皿の底面部にスポンジのような芳香ピースを収納し、情報製品（例えばコンピュータやパーソナル・デジタル・アシスタントや家庭電気製品など）の内部の放熱ファンが作動される際にチャーミングな香気を放出させることができ、情報製品が作動される際に生じる、焦げた様な臭気をカバーでき、または除去でき、前記の従来の課題を解消できる、情報製品の香気生成装置を提供する。
【０００７】
以下に本考案の特徴と技術内容を説明するために、添付図面を参照しながら本考案の好適な実施の形態を詳細的で具体的に説明するが、それらの説明による具体的な構成は本考案の主張範囲を狭義的に定義するものではなく、本考案は他の変形を実施可能なことは言うまでもない。
【０００８】
【考案の実施の形態】
図２と図３に示すように、本考案は、情報製品の香気生成装置に係わり、特に情報製品（例えばコンピュータやパーソナル・デジタル・アシスタントや家庭電気製品など）の内部の放熱ファンが作動される際にチャーミングな香気を放出させることができる情報製品の香気生成装置に関するものである。その装置は、中央処理装置（発熱素子）２１と、放熱手段２２と、放熱ファン２３とを積み重ねてなるものである。
【０００９】
中央処理装置２１がマザー・ボード２０に配置され、且つ放熱手段２２と、放熱ファン２３とが中央処理装置２１に快速的に放熱させられるような手段を提供し、それによって情報製品をノーマルのような温度の環境下で作動させるように設定する。前記の構造は従来物と同じであるので、且つ本考案の権利的主張範囲内におけるものではないため、それらの構造と連結するため手段についての説明はここで省略する。
【００１０】
図２乃至図５に示すように、本考案において、放熱ファン２３の上部に対応しあう挟持アーム２３１が形成され、それらの挟持アーム２３１が放熱手段２２の両側を挟持するためのものであり、それらの挟持アーム２３１の端部にそれぞれフック部２３２が形成され、フック部２３２が放熱手段２２の両側を穏やかに掛止するものであり（図３参照）、穏やかな連結品質を提供するためのものである。
【００１１】
また、放熱ファン２３には直接的にまたは間接的に一体成形される収納皿２４が形成され、収納皿２４が挟持アーム２３１によって挟持されることができ、且つ収納皿２４の底面部に収納空間２４１が形成され、そこに芳香ピース２４２を収納でき（図４参照）、芳香ピース２４２としてスポンジ２４３（図６参照）のような高度な吸収力を有する物品を使用し、それによって放熱ファン２３が作動する際に芳香ピース２４２より香気を放出させることができ（図５参照）、情報製品の作動際の生成する焦げるぐらいの臭みをカバーまたは除去できる。
【００１２】
【考案の効果】
前記に説明した通り、本考案による“情報製品の香気生成装置”は、少なくとも次のような優れた点を有する。（１）情報製品の作動際の生成する焦げるぐらいの臭みをカバーまたは除去できる。（２）使用者は自分の好みに従って好きな香気生成物を交換できる。（３）情緒を安定化できる芳香医療法のような機能を有するので、仕事効率を向上できる。
【図面の簡単な説明】
【図１】従来の構造を示す斜視図である。
【図２】本考案の構造を示す分解斜視図である。
【図３】本考案の構造を示す組立斜視図である。
【図４】本考案の構造を示す断面図（一）である。
【図５】本考案の構造を示す断面図（二）である。
【図６】本考案の他の実施の形態を示す組立斜視図である。
【符号の説明】
２０　　マザー・ボード
２１　　中央処理装置
２２　　放熱手段
２３　　放熱ファン
２４　　収納皿
２３１　挟持アーム
２３２　フック部
２４１　収納空間
２４２　芳香ピース
２４３　スポンジ
【図１】
0003099291.tif 000003
【図２】
0003099291.tif 000004
【図３】
0003099291.tif 000005
【図４】
0003099291.tif 000006
【図５】
0003099291.tif 000007
【図６】
0003099291.tif 000008
(57)【要約】【課題】光の反射の強弱を利用することによって魚へのアピール度を増すことが出来る釣り用ブレードを提供する。【解決手段】上記目的を達成するために、本考案における釣り用ブレードは、Ｆのような折り曲げ線を作ることによって面を増やし、Ｇ面とＨ面、またＩ面とＪ面が光の反射を交互に強弱するようにした。【選択図】　図１
0003099202.tif 000002
【実用新案登録請求の範囲】
【請求項１】
折り曲げ線を有する釣り用ブレード
【考案の詳細な説明】
【０００１】
【考案の属する技術分野】
本考案は釣り用ルアーに装着して、光の反射で魚へのアピール度を増すことの出来る釣り用ブレードに関するものである。
【０００２】
【従来の技術】
従来の釣り用ブレードは、プロペラ回転型ブレードを除いて裏と表の二面体である。
【０００３】
【考案が解決しようとする課題】
従来のブレードをルアーにスイベルと連結して装着し泳がせてブレードが光を反射する時にブレードの表と裏の２面の反射だけであった。
【０００４】
本考案は、従来の技術の有するこの様な問題点に鑑みてなされたものであり、その目的とするところは、ブレードが光を反射したり、しなかったりをより連続して行って魚へのアピール度を増す釣り用ブレードを提供しようとするものである。
【０００５】
【課題を解決するための手段】
上記目的を達成するために、本考案における釣り用ブレードに折り曲げ線をつけた。
【０００６】
【考案の実施の形態】
本考案のブレードはＧ面、Ｈ面、Ｉ面、Ｊ面と順番に光が当たるように図２のように面が多くなるように折り曲げ線をつけた。
【０００７】
【０００６】で述べた折り曲げ線は縦線でも横線でも良いものとする。また、単数でも複数でも良いものとする。
【０００８】
【考案の効果】
本考案のブレードは、図２のような形状なので、本考案のブレードにスイベルと連結してルアーを装着し、泳がせて本考案のブレードを回転させると、Ｇ面、Ｈ面、Ｉ面、Ｊ面の４面が光を反射するので、魚へのアピール度が倍になる。また、４面が次々に光を反射する時にＧ面とＨ面、又Ｉ面とＪ面が交互に光の反射を強弱させるので、一定に光っているよりも魚へのアピールが良い。
【０００９】
【図面の簡単な説明】
【図１】本考案の釣り用ブレードをルアーに装着した状態の平面図である。
【図２】本考案の釣り用ブレードの平面図である。
【図３】本考案の釣り用ブレードの正面図である。
【図４】本考案の釣り用ブレードの背面図である。
【図５】従来品の釣り用ブレードの平面図である。
【図６】従来品の釣り用ブレードの正面図である。
【符号の説明】Ａ　釣り用ルアー
Ｂ　釣り糸
Ｃ　釣り用ルアーのアイ
Ｄ　釣り針
Ｅ　スイベル
Ｆ　折り曲げ線
Ｇ　Ｇ面
Ｈ　Ｈ面
Ｉ　Ｉ面
Ｊ　Ｊ面
【図１】
0003099202.tif 000003
【図２】
0003099202.tif 000004
【図３】
0003099202.tif 000005
【図４】
0003099202.tif 000006
【図５】
0003099202.tif 000007
【図６】
0003099202.tif 000008
(57)【要約】
【課題】冷風と共にこれの風力によって室内の空気中にマイナスイオンを普く拡散させる。
【解決手段】本体ケース２内に吸入した空気を冷却エレメント５によって冷却し、送風ファン１１によって空気吹出口１０から送出する気化放熱式涼風扇１である。そして、該気化放熱式涼風扇１における空気吹出口１０にマイナスイオン発生器１９を備える。
【選択図】図３
0003099262.tif 000002
【実用新案登録請求の範囲】
【請求項１】
　本体ケースの背面壁の上部に設けた空気吸入口にフィルターを取着すると共に該フィルターの内側に冷却エレメントを取り付け、該冷却エレメントに本体ケース内に配置したポンプをもって貯水槽内の冷却水を循環供給し、更に本体ケースの前面壁の上部にルーバー付きの空気吹出口を設けると共に該空気吹出口の内側に送風ファンを配設してなる気化放熱式涼風扇において、本体ケースの空気吹出口にマイナスイオン発生器を備えたことを特徴とするマイナスイオン発生機能を有する気化放熱式涼風扇。
【考案の詳細な説明】
【技術分野】
【０００１】
　本考案はマイナスイオン発生機能を有する気化放熱式涼風扇に関するものである。
【背景技術】
【０００２】
　マイナスイオンは、これを空気中に発生させることによって人体の細胞の活性化、抵抗力の増進、自律神経の調整作用等の効果があり、健康の増進に役立つことが証明されている。
【０００３】
　ところで、従来の気化放熱式涼風扇、即ち本体ケースの背面壁の上部に設けた空気吸入口にフィルターを取着すると共に該フィルターの内側に冷却エレメントを取り付け、該冷却エレメントに本体ケース内に配置したポンプをもって貯水槽内の冷却水を循環供給し、更に本体ケースの前面壁の上部にルーバー付きの空気吹出口を設けると共に該空気吹出口の内側に送風ファンを配設してなる気化放熱式涼風扇においては、冷風を連続して吹き出すだけであり、積極的な人体の健康増進のための工夫は何らなされていない。
【考案の開示】
【考案が解決しようとする課題】
【０００４】
　本考案は上記の点に鑑みなされたものであって、気化放熱式涼風扇にマイナスイオン発生器を組み込むことによって、冷風と共にこれの風力によって室内の空気中にマイナスイオンを普く拡散させることができ、もって人体の健康増進のための効果をも奏するようになした気化放熱式涼風扇を提供せんとするものである。
【課題を解決するための手段】
【０００５】
　而して、本考案の要旨とするところは、本体ケースの背面壁の上部に設けた空気吸入口にフィルターを取着すると共に該フィルターの内側に冷却エレメントを取り付け、該冷却エレメントに本体ケース内に配置したポンプをもって貯水槽内の冷却水を循環供給し、更に本体ケースの前面壁の上部にルーバー付きの空気吹出口を設けると共に該空気吹出口の内側に送風ファンを配設してなる気化放熱式涼風扇において、本体ケースの空気吹出口にマイナスイオン発生器を備えたことを特徴とするマイナスイオン発生機能を有する気化放熱式涼風扇にある。
【考案の効果】
【０００６】
　本考案は上記の如く気化放熱式涼風扇にマイナスイオン発生器を組み込んだことにより、冷風と共にこれの風力によって室内の空気中にマイナスイオンを普く拡散させることができるものである。よって人体の健康増進のための効果をも奏することになるものである。
【考案を実施するための最良の形態】
【０００７】
　本考案を実施するための最良の形態は、気化放熱式涼風扇における本体ケースの空気吹出口にマイナスイオン発生器を備えることであり、これによって人体の健康増進のための効果をも奏するものである。
【実施例１】
【０００８】
　図１は本考案の実施例１の正面図、図２は同左側面図、図３は一部切欠して示した同右側面図、図４は本体ケースにおける給水部分の説明図、図５はマイナスイオン発生器の説明図である。
【０００９】
　図中、１は気化放熱式涼風扇である。また、該気化放熱式涼風扇１は、本体ケース２の背面壁３の上部に設けた空気吸入口にフィルター４を取着すると共に該フィルター４の内側に冷却エレメント５を取り付け、該冷却エレメント５に本体ケース２内に配置したポンプ６をもって貯水槽７内の冷却水Ｗを循環供給し、更に本体ケース２の前面壁８の上部に電動ルーバー９付きの空気吹出口１０を設けると共に該空気吹出口１０の内側に送風ファン１１を配設してなるものである。
【００１０】
　また、１２は前記送風ファン１１の駆動用モータである。また、前記冷却エレメント５は、貯水槽７内の水Ｗをポンプ６によって上部から降らせ、外部から吸引された空気を水膜中をくぐらせることによって除塵すると共に冷却する構造である。また、前記本体ケース２の下面にはキャスター１３、１３を取り付けている。また、１４、１５はワンタッチで接続するホースカップリングであり、一方側のホースカップリング１４はホース１６の端部に接続し、他方側のホースカップリング１５は本体ケース２の給水口に取着している。そしてまた、該本体ケース２に取着した他方側のホースカップリング１５は、本体ケース２の内側においてフロートバルブ１７に接続している。尚、１７ａは該フロートバルブ１７におけるフロートである。また、１８は排水バルブである。
【００１１】
　而して、本実施例において従来の気化放熱式涼風扇と相違する点は、本体ケース２の空気吹出口１０にマイナスイオン発生器１９を備えたことにある。
【００１２】
　また、該マイナスイオン発生器１９としては、公知のマイナスイオン発生器をそのまま用いればよく、本実施例においては図５に示す如き、マイナスイオンを放出するための針状の放電電極２０と、該放電電極２０に高電圧を印加するための高電圧発生ユニット２１とをもって構成してなるものを用いている。
【図面の簡単な説明】
【００１３】
【図１】本考案の実施例１の正面図である。
【図２】本考案の実施例１の左側面図である。
【図３】本考案の実施例１の一部切欠して示した右側面図である。
【図４】本体ケースにおける給水部分の説明図である。
【図５】マイナスイオン発生器の説明図である。
【符号の説明】
【００１４】
　１　気化放熱式涼風扇
　２　本体ケース
　３　背面壁
　４　フィルター
　５　冷却エレメント
　６　ポンプ
　７　貯水槽
　８　前面壁
　９　ルーバー
　１０　空気吹出口
　１１　送風ファン
　１２　駆動用モータ
　１９　マイナスイオン発生器
【図１】
0003099262.tif 000003
【図２】
0003099262.tif 000004
【図３】
0003099262.tif 000005
【図４】
0003099262.tif 000006
【図５】
0003099262.tif 000007
(57)【要約】
【解決手段】
背板１に取り付けられている背負いベルト取付具２付近に、クッション材３を配置する。背負いベルト取付具２を覆い隠している覆い材５の内側に、クッション材３が配置されている。
【効果】
　ランドセルＡを背負ったとき背負いベルト取付具２付近がたとえ膨らんでいても背骨が痛くならない。背負いベルト取付具２付近に位置するクッション材３が妄りに動くことがないから、背負いベルト取付具２付近の弾力性を絶えず維持できる。
【選択図】　図２
0003099253.tif 000002
【実用新案登録請求の範囲】
【請求項１】
　背板１に取り付けられている背負いベルト取付具２付近に、クッション材３を配置したことを特徴とするランドセル。
【請求項２】
　背負いベルト取付具２を覆い隠している覆い材５の内側に、クッション材３が配置されていることを特徴とする請求項１記載のランドセル。
【考案の詳細な説明】
【技術分野】
【０００１】
　本考案は、ランドセルを背負ったときその背負いベルト取付具で背骨が痛くならないように改良したものに関する。
【背景技術】
【０００２】
　ランドセルの背板のカバー材とその裏側に位置する下地材との間に、スポンジやフェルト地などのクッション材を介装し、ランドセルを背負ったとき背中が痛くならないようにすることは、従来から普通に行われている（例えば、特許文献１参照）。
【特許文献１】特開２０００−６０６２０号公報
【考案の開示】
【考案が解決しようとする課題】
【０００３】
　しかしながら、前記クッション材は背板の上端部にまでは達していない。したがって、ランドセルを背負ったとき背板の中央上端部付近に取り付けられている背負いベルト取付具で背骨が痛くなることがある。背負いベルト取付具は覆い材で覆い隠されているので背骨に直接当ることはないが、その付近が膨らんでいるので、ランドセルを背負うと必ず背骨に当り、背骨が痛くなるという事態が生じる。
【０００４】
特に、前記背負いベルト取付具には一対の背負いベルトの上端を連結するための連結環が備えられていて、ランドセルを背負ったとき背負いベルト取付具付近に、ランドセルとその中に収納した収納物の全荷重が加わるから、この背負いベルト取付具が背骨に食い込まんばかりの力が背骨に集中する。
【課題を解決するための手段】
【０００５】
　本考案は、このような欠点を解消し得るようにしたものであって、背板１に取り付けられている背負いベルト取付具２付近に、クッション材３を配置したことを特徴とするものである。背負いベルト取付具２付近にクッション材３が配置されていると、ランドセルＡを背負ったとき背負いベルト取付具２付近がたとえ膨らんでいても背骨が痛くならない。
【０００６】
　クッション材３は、背負いベルト取付具２を覆い隠している覆い材の内側に配置されていることが好ましい。このようにすると、背負いベルト取付具２付近に位置するクッション材３が妄りに動くことがないから、背負いベルト取付具２付近の弾力性を絶えず維持できる。
【考案の効果】
【０００７】
　請求項１記載の考案によれば、ランドセルＡを背負ったとき背負いベルト取付具２付近がたとえ膨らんでいても背骨が痛くならないという効果がある。
【０００８】
　請求項２記載の考案によれば、背負いベルト取付具２付近に位置するクッション材３が妄りに動くことがないから、背負いベルト取付具２付近の弾力性を絶えず維持できるという効果がある。
【考案を実施するための最良の形態】
【０００９】
　本考案の好ましい実施の形態を、図面に基づいて詳細に説明する。
　図１に、背板１に取り付けられている背負いベルト取付具２付近に配置されるクッション材の一例を示す。このクッション材３は、従来、ランドセルＡの背板１のカバー材1aとその裏側に位置する下地材(図示しない)との間に介装されているクッション材(図示しない)と同じ材質、例えば、スポンジやフェルト地などとすることができる。
【００１０】
　このクッション材３は図１に示すように略Ｕ字状の形をしており、図２に示すように、背板１に取り付けられている背負いベルト取付具２付近に隣接して配置され、背負いベルト取付具２の側方と下方とを覆い隠すことができる。
【００１１】
　背負いベルト取付具２は背板１のカバー材1a（上で説明済）の上端部に重ね合わせて縫い糸4aで縫い合わせた合わせ材４と、その上端部中央付近にさらに重ね合わせて縫い糸5aで縫い合わせたＵ字状の覆い材５との間に、図の上側から差し込まれるから、前記クッション材３はこの背負いベルト取付具２を差し込むのに先立って、合わせ材４と覆い材５との間に先に差し込まれる。しかる後、背負いベルト取付具２を鋲６で背板１に固定する。
【００１２】
　なお、前記クッション材３の上縁側3aは背負いベルト取付具２の下縁の形状に合致した形状としてあり、また、クッション材３の下縁側3bは前記覆い材５の縫い糸5aに沿うような形状としてある。
【００１３】
　背負いベルト取付具２には、従来の場合と同様に、一対の背負いベルト７，７の上端を連結するための連結環８，８が備えられており、そのうちの斜辺部分に一対の背負いベルト７，７の上端がそれぞれ取り付けられている。また、背負いベルト取付具２の連結環８，８間には、ランドセルＡを吊り下げるための吊り環９を突出させてある。前記背負いベルト７，７の下端はランドセルＡの底壁にそれぞれ取り付けられている。
【００１４】
　このようなランドセルＡを背負った状態を、図３に示す。このとき、背負いベルト取付具２付近がたとえ膨らんでいても、図３からも分かるように、背骨が痛くならない。特に、ランドセルＡを背負ったとき背負いベルト取付具２付近に、ランドセルＡとその中に収納した収納物の全荷重が加わり、この背負いベルト取付具２が背骨に食い込まんばかりの力が背骨に集中した場合でも、背骨が痛くならない。
【００１５】
　また、背負いベルト取付具２とクッション材３は覆い材５で覆われていて、背負いベルト取付具２付近に位置するクッション材３が妄りに動くことがないから、背負いベルト取付具２付近の弾力性を絶えず維持できる。
【００１６】
なお、図２における符号10は、背板１のカバー材1aとその裏側に位置する下地材(図示しない)と両者間に介装されているクッション材（図示しない）とを、あるいは、このクッション材を一部省略した部分においてそれらを互いに縫い合わせた縫い糸で、背板１の外面は平らでなく背負った背中にフィットさせ得るように一部に窪みが設けられている。
【図面の簡単な説明】
【００１７】
【図１】背板に取り付けられている背負いベルト取付具付近に配置されるクッション材の一例を示す斜視図である。
【図２】図１に示すクッション材を、背板に取り付けられている背負いベルト取付具付近に配置した状態を示す概略図で、背板の一部を切り欠いて背板側から見た場合を表わす。
【図３】本考案によるランドセルの使用状態を示す側面図である。
【符号の説明】
【００１８】
　１…背板、1a…カバー材、２…背負いベルト取付具、３…クッション材、４…合わせ材、５…覆い材、７…背負いベルト、Ａ…ランドセル。
【図１】
0003099253.tif 000003
【図２】
0003099253.tif 000004
【図３】
0003099253.tif 000005
(57)【要約】
【課題】全方位において中心点から外周縁までの距離を等しくして全体にわたって均一の張力となるようになし、もって印刷ムラを生じなくする。
【解決手段】スクリーンマスク１を、その平面形状を真円とする。該スクリーンマスク１を、中央部に該スクリーンマスク１の大きさに適合する円形の孔４を設けたマスク枠３の下面に接着する。
【選択図】図１
0003099260.tif 000002
【実用新案登録請求の範囲】
【請求項１】
　平面形状を真円となしたことを特徴とするスクリーンマスク。
【考案の詳細な説明】
【技術分野】
【０００１】
　本考案はスクリーン印刷に用いるスクリーンマスクに関するものである。
【背景技術】
【０００２】
　スクリーンマスクに被印刷体を接触させた状態においてスキージを操作し、クリーム半田等のペースト状印刷材をスクリーンマスクに施したパターンの通りに塗布して印刷を行うスクリーン印刷法において用いられるスクリーンマスクは、従来全て平面形状が方形のものであった。
【０００３】
　しかし、このように平面形状が方形であると、スクリーンマスクの中心点から左右の外周縁、上下の外周縁、四方の角部までの夫々の距離が相違し、その結果スクリーンマスクの張力が不均一となる。そして、この場合には、スキージを操作するときに、該スキージとスクリーンマスクとの接触圧がムラになり、印刷ムラを生じ易くなる。
【０００４】
　また、印刷後に被印刷体をスクリーンマスクから離すとき、一定の速度で被印刷体を降下させると印刷部分の外側から内側に向かって徐々に円形に離れるが、スクリーンマスクの張力が均一でないと離れる速度が異なり、真円状に離れない。そしてこの場合には、スクリーンマスクのパターン孔からの印刷材の抜け出しに影響が出て、やはり印刷ムラを生じ易くなる。
【考案の開示】
【考案が解決しようとする課題】
【０００５】
　本考案は上記の点に鑑みなされたものであって、平面形状を円形となし、全方位において中心点から外周縁までの距離を等しくして全体にわたって均一の張力となるようになし、もって上記従来品の問題点を悉く解消することができるようになしたスクリーンマスクを提供せんとするものである。
【課題を解決するための手段】
【０００６】
　而して、本考案の要旨とするところは、平面形状を真円となしたことを特徴とするスクリーンマスクにある。
【考案の効果】
【０００７】
　本考案は上記の如く平面形状を円形となし、全方位において中心点から外周縁までの距離を等しくして全体にわたって均一の張力となるようにしたから、上記従来品の問題点を悉く解消することができるものである。
【考案を実施するための最良の形態】
【０００８】
　本考案を実施するための最良の形態は、平面形状を真円となすことであり、これにより全方位において中心点から外周縁までの距離を等しくして全体にわたって均一の張力となるようにすることができるものである。
【実施例１】
【０００９】
　図１は本考案の実施例１の平面図、図２は本考案の実施例１の中央縦断面図、図３は図２中Ａ部分の拡大図、図４は本考案の実施例１の作用説明図である。
【００１０】
　図中、１はステンレスからなるスクリーンマスクである。また、該スクリーンマスク１は平面形状を真円としている。尚、２は該スクリーンマスク１に施したパターン孔である。
【００１１】
　３はアルミニウムからなるマスク枠であり、中央部に前記スクリーンマスク１の大きさに適合する円形の孔４を設け、下面に前記スクリーンマスク１を接着するものである。
【００１２】
　而して、前記スクリーンマスク１は平面形状を真円としているから、図４に示す如く、全方位において中心点１Ａから外周縁１Ｂまでの距離が等しくなり、よって全体にわたって均一の張力となるものである。
【図面の簡単な説明】
【００１３】
【図１】本考案の実施例１の平面図である。
【図２】本考案の実施例１の中央縦断面図である。
【図３】図２中Ａ部分の拡大図である。
【図４】本考案の実施例１の作用説明図である。
【符号の説明】
【００１４】
　１　スクリーンマスク
　２　パターン孔
　３　マスク枠
　４　円形の孔
【図１】
0003099260.tif 000003
【図２】
0003099260.tif 000004
【図３】
0003099260.tif 000005
【図４】
0003099260.tif 000006
(57)【要約】　　　（修正有）【課題】太陽熱を体験させるための簡易な組立て教材を提供する。【解決手段】リング状反射板による凹面反射鏡の形成及びリング状反射板の重なり部分を固定する構造、及びその中心部を形成する円板を切抜くための少なくとも一面を鏡面処理した反射板を特徴とする太陽光の集熱教材により目的を達成した。また、反射板に切抜き線を印刷することにより、切抜きを容易にし、一定の効果（形状精度）が期待でき、組立て式教材となるので、原理を実践的に確かめることができ、反射鏡の角度と太陽光線の集熱度合いを目視検出できるものである。【選択図】　　図１
0003099365.tif 000002
【実用新案登録請求の範囲】
【請求項１】
凹面反射鏡の成形板及びその中心部を形成する円板を切り抜くための少なくとも一面を鏡面処理した反射板による組立てが容易な太陽光の集熱教材の制作方法。
【考案の詳細な説明】
【技術分野】
【０００１】
　本考案は、太陽光の集熱教材に関するものであり、反射板から組立てが容易な凹面反射鏡を成形し、太陽光の集熱教材を提供することにある。
【背景技術】
【０００２】
従来、太陽光の集光によって発熱することは知られており、分解収納できる円錐形太陽集熱器も知られていた。
【特許文献１】特開平４−３３２３４７号公報
【考案の開示】
【考案が解決しようとする課題】
【０００３】
しかしながら、既に判っている原理を利用し、形成を体験させるような構成にないていないので、組立て教材としては不向きとなる問題点があった。また、太陽光線の照射角度に合わせて集熱器の角度調整させたり、反射光線角度によって熱効率の相違を実測することができず、実験器具や教材としては不向きの点もあった。
　
【課題を解決するための手段】
【０００４】
　本考案は、リング状反射板により凹面反射鏡を形成して、リング状反射板の重なり部を固定する構造とすることにより、前記重なり部の長さを適宜選定して、太陽光線の反射角度を変えることに成功し、前記従来の問題点を解決したのである。
【考案の効果】
【０００５】
また、反射板に切り抜き線を印刷することにより、切抜きを容易にするとともに、一定の効果（形状精度）を期待できるように形成することができる。
【０００６】
また、組立て式教材となるので、原理を実践的に確かめることができるし、反射鏡の角度と太陽光線の集熱度合いを目視検出することができる。
【０００７】
本考案は初心者でも容易に組立て、太陽光を利用し、簡単な器具により集熱できるようにした集熱具の教材である。
【０００８】
本考案の目的は、組立てにより太陽光線から熱を生成できることを体験させることにあるが、これを調理具として使用することを妨げるものではない。
【０００９】
本考案はリング状反射板の重なり量の大小を調整することにより反射鏡の角度を変化させ、太陽光の入射角度に対応して適切な反射角度を保持させることができる。
【考案を実施するための最良の形態】
【００１０】
反射板の芯材の表面にアルミニウム箔を層着して形成した反射板の一面へ、リング状反射板の切抜線及び大小の円板切抜線を印刷したことを特徴とする。
【００１１】
反射板から切抜いたリング状反射板により凹面反射鏡を形成した太陽光の集熱具であり、反射板にリング状の切抜き線と、凹面反射鏡の中央部の固定円板の切抜き線とを印刷したことを特徴とする太陽光の集熱教材の反射板である。
【実施例１】
【００１２】
本考案の反射板の実施例を図１に基づいて説明する。心材ベース板１のすくなくとも１面に同一形状のアルミニウム箔２を層着すると共に、前記アルミニウム箔２にリング状反射板の切取り線３ａとリング状反射板の内周となる切取り線３ｂに切込み線３ｃを印刷し、大小円板の切取り線４および５を印刷して太陽光の集熱教材用の反射板６を構成した。
【００１３】
前記反射板６は、切取り線３、４、５に沿って切り取ることにより、容易に凹面反射鏡の材料を得ることが出来る。
【００１４】
反射板６を切取り線３、３ａ、４、５に沿って切り取ると共に、切込み線３ｂを入れて、リング状反射板７を形成し、ついで大小の円板８、９の裏面に補強板１０夫々添着し、両補強板１０の間にスペース板１１を介層固定して、反射鏡１２の中央板１３を形成し、前記中央板１３の周縁溝（スペース板１１の外縁）に、リング状反射板７の内縁切込部を挿入して、リング状反射板７により凹面反射鏡を構成し、リング状反射板７の両縁部７ａ、７ｂの重なり度合いを決めることにより、前記反射鏡の角度を定めた後、前記重なり部分を接着テープ１４で固定し、中央部へ吸熱体を設置すれば、この考案の周熱具１５が完成する。
【産業上の利用可能性】
【００１５】
この考案によれば、小学校から中学校までの教材として容易に、かつ確実に作ることができると共に、太陽光線からの集熱と、熱量測定を体験できる効果がある。また、地球環境教育の一助となることができる。
【００１６】
また、教材ではあるが、実用上の体験（例えばゆで卵を作る）もできるとともに、燃焼資源の欠如（例えば災害時）時にも熱源としての役割を
果たす可能性もあるので教育効果も大きい。
【図面の簡単な説明】
【００１７】
【図１】この考案の反射板の製造工程を示す説明図である。
【図２】この考案の反射板の制作工程を示す説明図である。
【符号の説明】
【００１８】
　１　　芯材ベース板
　２　　アルミニウム箔
　３、３ａ、３ｂ、４、５　切取り線　　３ｃ切込線
　６　　反射板　　
　７　　リング状反射板
　８、９円板
　１０補強板
　１１スペース板　　
　
【図１】
0003099365.tif 000003
【図２】
0003099365.tif 000004
【手続補正書】
【提出日】平成15年9月8日(2003.9.8)
【手続補正１】
【補正対象書類名】実用新案登録請求の範囲
【補正対象項目名】全文
【補正方法】変更
【補正の内容】
【実用新案登録請求の範囲】
【請求項１】
凹面反射鏡の成形板およびその中心部を形成する円板を切り抜くための少なくとも一面を鏡面処理した反射板による
組立てが容易な太陽光の集熱教材。
(57)【要約】【課題】流し台のシンク３直下の上段引出し５に包丁その他の長物を縦長に吊下げ収容できる流し台を提供する。【解決手段】流し台天板２の前縁６の幅Ｗを広くして上段引出し５の前面板１１の裏面１２とシンク胴部の幕板８との間に空間Ａを作ると共にその下方に空間Ｂを形成して、前面板裏面に包丁落し込み収納ボックス１５と吊下げ用支持プレート１６を固設して長物調理用器具を縦長に収容する。【選択図】　　　　　図６
0003099366.tif 000002
【実用新案登録請求の範囲】
【請求項１】
シンクを備えた天板の前縁を幅広に形成してその下方及び前記シンク直下に引出し収納空間を形成するように木枠を設けると共に前記木枠内に該木枠の前端面に、前面板の裏面が当接する収納引出しをスライド自在に設けてシンク胴部前面の幕板と前記前面板裏面との間及びその下方に底部収納空間Ｃに連絡する縦長の収容空間Ａ―Ｂを確保して前記前面板裏面に包丁挿し込みボックス又は長物吊下げ用プレートの少なくともいずれかが固設されてなる長物の縦収納引出しを備えた流し台。
【請求項２】
長物吊下げ用プレートが方形のパンチメタルプレート又は鉄板でなる請求項１記載の流し台。
【考案の詳細な説明】
【０００１】
【考案の属する技術分野】
この考案は、流し台シンクの前方直下に包丁類や長柄の調理用具を縦長に収納できる引出しを備えた流し台に関する。
【０００２】
【従来の技術】
包丁その他の長物調理具は、流し台の上段引出し内に縦長に収容するのが使い易く便利である。しかし、従来品は図７に示すように天板の前縁が比較的狭く構成されていたからシンク胴部前面に位置する幕板前方の空間が利用できず、引出し内の収容空間はシンク底面下の領域Ｃだけであった。このため、長物を収容する場合は、例えば引出し内にトレイを横置きしてこれに包丁などを並べて置くようにしていたので収容、取出しに不便であった。
【０００３】
【考案が解決しようとする課題】
この考案は、シンク胴部前面の幕板前方とその下方に縦長空間を形成して長物を縦方向に収容できるようにすると共にこれによって底部の収容空間をも拡張した流し台を提供するものである。
【０００４】
【課題を解決するための手段】
本案流し台は、シンクを備えた天板の前縁を幅広に形成してその下方及び前記シンク直下に引出し収納空間を形成する木枠を設けると共に前記木枠内に該木枠の前端面に前面板裏面が当接する収納引出しをスライド自在に設けてシンク胴部前面の幕板と前記前面板裏面との間及びその下方に底部収納空間に連絡する縦長の収容空間を確保して前記前面板裏面に包丁挿し込みボックス又は／及び長物吊下げ用プレートが固設されて構成される。
【０００５】
天板前縁の幅広部は、通常天板の約２倍即ち、１０〜１２ｃｍとすることによって必要な空間は確保できる。
包丁挿し込みボックス自体は、公知又は周知のものであり、長物吊下げプレートは、長物の吊下げ位置を自由に変更できるようにパンチメタル又は鉄板で構成し、プラスチック製フック又はマグネット付フックを介して菜箸、長柄杓子、フライ返しなどを吊下げる。
包丁挿し込みボックスと長物吊下げプレートの取付け位置は任意である。
【０００６】
【考案の効果】
本案の流し台は、上段引出し前面板の裏面に長物吊下げ用空間Ａ−Ｂが構成されているから長物の整理収容・取出しが容易であって安全、便利に行える他、下方の収納空間Ｂ−Ｃによって従来収納できなかった大径の鍋、ざるなどの容器類も収納できるようになるので使い勝手が格段に向上する。
【０００７】
【考案の実施の形態】
１は流し台、２は天板、３はシンク、４はフロント部、５は上段引き出し、６は天板前縁、７は引出し収納木枠、８は幕板、９は上部戸当り、１０は木枠前端面である。
１１は引出し前面板であって裏面１２は、上部戸当り９と木枠前端面１０に当接する。１３は底板と側板を形成している断面Ｕ状の囲み板、１４は背板である。なお、引出しのスライド金具は公知であるから図示を省略してある。
上記構成によって幕板８の前方に空間Ａが形成されると共にその下方に空間Ｂを形成し、シンクの底部下方の収容空間Ｃに連絡させる。
空間Ａ、Ｂは縦長物収容空間となる。
１５は、前面板裏面に取付けた包丁挿し込みボックス、１６は長物吊下げプレートであってパンチメタルを採用する場合は、浮かせ枠１６Ａを介して取付ける。１７は吊下げフックである。
【図面の簡単な説明】
【図１】本案引出し収納装置を備えた流し台の正面図
【図２】同上平面図
【図３】上段引出しの前面板表面図
【図４】上段引出しを除いた機枠の内部正面図
【図５】図３のＶ−Ｖ断面図
【図６】上段引出し部の縦断側面図
【図７】従来の上段引出し部の縦断側面図
【符号の説明】
１　　　流し台
２　　　天板
３　　　シンク
４　　　フロント部
５　　　上段引き出し
６　　　天板前縁
７　　　引出し収納木枠
８　　　幕板
９　　　上部戸当り
１０　　　木枠前端面
１１　　　引出し前面板
１２　　　裏面
１３　　　断面Ｕ状の囲み板
１４　　　背板
１５　　　包丁挿し込みボックス
１６　　　長物吊下げプレート
１８　　　パンチ孔
Ａ―Ｂ　　　縦長空間
Ｃ　　　底部収納空間
【図１】
0003099366.tif 000003
【図２】
0003099366.tif 000004
【図３】
0003099366.tif 000005
【図４】
0003099366.tif 000006
【図５】
0003099366.tif 000007
【図６】
0003099366.tif 000008
【図７】
0003099366.tif 000009